(57)【要約】【課題】両面から画像を観察できる電飾看板の厚みを薄くすることができる電飾看板用バックライトを提供する。【解決手段】  少なくとも一つの側端部を光入射面とし、これと略直交する両側の面を光出射面とする、ヘーズ（ＪＩＳ  Ｋ７１３６：２０００）が２％以上の導光板１１と、前記導光板１１の少なくとも一つの側端部に配置された光源１２とからなるように電飾看板用バックライト１を構成する。光源１２の周囲は反射フィルム１３で覆い、導光板１１の光源１２側以外の側端部は反射テープ１４で覆う構成とすることが好ましい。【選択図】  図１
2006208582.tif 000002
【特許請求の範囲】
【請求項１】
少なくとも一つの側端部を光入射面とし、これと略直交する両側の面を光出射面とする、ヘーズ（ＪＩＳ  Ｋ７１３６：２０００）が２％以上の導光板と、前記導光板の少なくとも一つの側端部に配置された光源とからなることを特徴とする電飾看板用バックライト。
【請求項２】
少なくとも一つの側端部を光入射面とし、これと略直交する両側の面を光出射面とする、ヘーズ（ＪＩＳ  Ｋ７１３６：２０００）が１０〜４０％の導光板と、前記導光板の両側の面上に接するようにして配置されてなるヘーズが７０％以上の光拡散性シートと、前記導光板の少なくとも一つの側端部に配置された光源とからなることを特徴とする電飾看板用バックライト。
【請求項３】
バックライトと、前記バックライトの両側の面上に配置された画像層とからなる電飾看板において、前記バックライトとして、請求項１又は２記載のバックライトを用いてなることを特徴とする電飾看板。
【発明の詳細な説明】
【技術分野】
【０００１】
本発明は、電飾看板用バックライト、およびそれを用いた電飾看板に関し、両面用でありながら薄型であるものに関する。
【背景技術】
【０００２】
従来、画像が印刷などされてなる画像層を照明して表示する電飾看板は、たとえば図４に示されるように、ハウジング内に蛍光灯を数本配列し、蛍光灯の上方に配置された画像層を照明する構造になっている。
【０００３】
このような構造の電飾看板は、蛍光灯の形が浮き出てしまうことを防止するために、蛍光灯と画像層との間隔を１５〜２０ｃｍ程度離す必要があり、厚みが厚くなってしまうという欠点がある。特に、近年は両面から画像を観察することが求められる場合があり、蛍光灯と両面の画像層との間隔を離した場合、より一層厚くなってしまう。
【０００４】
そこで、両面から画像を観察できるとともに、厚みを薄くすることを解決するものとして、図５のように、導光板どうしを背中合わせとし、背中合わせとした導光板の間に反射フィルムを挟みこみ、背中合わせとした導光板の側端部に光源を配置してなるバックライトを使用した電飾看板が提案されている（特許文献１）。この電飾看板は、光源を側端部に配置できるため、従来の電飾看板より厚みを薄くできるものである。
【０００５】
【特許文献１】特開２００４−１３０７２号公報（特許請求の範囲、図３）
【発明の開示】
【発明が解決しようとする課題】
【０００６】
しかし、このような特許文献１の電飾看板においても厚みが厚く、さらに厚みを薄くした電飾看板が求められていた。
【課題を解決するための手段】
【０００７】
上記課題を解決する本発明の電飾看板用バックライトは、少なくとも一つの側端部を光入射面とし、これと略直交する両側の面を光出射面とする、ヘーズ（ＪＩＳ  Ｋ７１３６：２０００）が２％以上の導光板と、前記導光板の少なくとも一つの側端部に配置された光源とからなることを特徴とするものである。
【０００８】
好ましくは、少なくとも一つの側端部を光入射面とし、これと略直交する両側の面を光出射面とする、ヘーズ（ＪＩＳ  Ｋ７１３６：２０００）が１０〜４０％の導光板と、前記導光板の両側の面上に接するようにして配置されてなるヘーズが７０％以上の光拡散性シートと、前記導光板の少なくとも一つの側端部に配置された光源とからなることを特徴とするものである。
【０００９】
このような電飾看板用バックライトによれば、両面から画像を観察できる電飾看板の厚みを薄くすることが可能である。
【００１０】
また、本発明の電飾看板は、バックライトと、前記バックライトの両側の面上に配置された画像層とからなる電飾看板において、前記バックライトとして、上記バックライトを用いてなることを特徴とするものである。
【発明の効果】
【００１１】
本発明の電飾看板用バックライトは、両側の面を光出射面とする、ヘーズ（ＪＩＳ  Ｋ７１３６：２０００）が２％以上の導光板を用いてなることから、バックライトの厚みが薄く、電飾看板とした際の厚みを薄くすることができる。また、特に、導光板のヘーズを１０〜４０％とし、導光板の両側の面上に、ヘーズが７０％以上の光拡散性シートを配置してなるバックライトとすることにより、厚みを薄くしつつ、全体の輝度を均一に高くすることができる。また、本発明の電飾看板用バックライトを用いてなる本発明の電飾看板は、厚みを極めて薄くすることができる。
【発明を実施するための最良の形態】
【００１２】
まず、本発明の電飾看板用バックライトについて説明する。
【００１３】
本発明の電飾看板用バックライトは、少なくとも一つの側端部を光入射面とし、これと略直交する両側の面を光出射面とする、ヘーズ（ＪＩＳ  Ｋ７１３６：２０００）が２％以上の導光板と、前記導光板の少なくとも一つの側端部に配置された光源とからなることを特徴とするものである。以下、本発明の電飾看板用バックライトの実施の形態について説明する。
【００１４】
図１、図２は、本発明の電飾看板用バックライト１の実施の形態を示す断面図である。図１の電飾看板用バックライト１は、導光板１１、光源１２、反射フィルム１３、反射テープ１４からなり、図２の電飾看板用バックライト１は、さらに光拡散性シート１５を備えている。
【００１５】
導光板は、少なくとも一つの側端部を光入射面とし、これと略直交する両側の面を光出射面とする、ヘーズ（ＪＩＳ  Ｋ７１３６：２０００）が２％以上、好ましくは１０％以上のものを使用する。
【００１６】
このようなヘーズが全体として均一に２％以上の導光板は、両面から光を出射することができるため、厚みを厚くする原因となる導光板を一枚使用するのみで両面の画像層を照らすことができる。したがって、このような導光板を用いてなる本発明の電飾看板用バックライトは、電飾看板の厚みを極めて薄くすることができる。
【００１７】
一方、従来の電飾看板に使用されている導光板は、導光板の裏面に拡散反射パターンを有するものであり、導光板の裏面に反射フィルムを必要とするものである。したがって、両面の画像層を照らそうとする場合、導光板どうしを背中合わせとし、さらに導光板の間に反射フィルムを挟み込む必要があり、電飾看板の厚みを十分薄くすることができないものであった。
【００１８】
本発明の電飾看板用バックライトを構成する導光板は、透明樹脂中に光拡散剤を練り込み、これを略平板状に成形することにより得ることができる。
【００１９】
透明樹脂としては、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ポリエチレン系樹脂、ポリスチレン系樹脂、ポリアミド系樹脂、ポリイミド系樹脂、メラミン系樹脂、フェノール系樹脂、シリコーン系樹脂などの熱可塑性樹脂、熱硬化性樹脂、電離放射線硬化性樹脂などがあげられる。これらの中でも光学特性に優れるアクリル系樹脂が好適に使用され、その中でもポリメチルメタクリレート樹脂が特に好適である。
【００２０】
光拡散剤としては、炭酸カルシウム、炭酸マグネシウム、硫酸バリウム、シリカ、水酸化アルミニウム、カオリン、クレー、タルク等の無機微粒子や、アクリル樹脂粒子、シリコーン樹脂粒子、ポリスチレン樹脂粒子、ポリウレタン樹脂粒子、ポリエチレン樹脂粒子、ベンゾグアナミン樹脂粒子、エポキシ樹脂粒子等の有機微粒子などがあげられる。
【００２１】
導光板のヘーズを２％以上としたのは、導光板の光出射面側から十分に光を出射させ、電飾看板とした際の輝度を十分にするためである。なお、導光板のヘーズは、より高くすることによって、光出射面から出射する光をより十分なものとすることができるとともに、表裏の画像層のそれぞれの情報が交錯するのを防止できる程度の隠蔽性が得られる点で好ましい。しかし、導光板を使用した電飾看板では、設置占有面積や費用の問題から、光源を導光板の一方の側のみに設けることが求められている。このように光源を導光板の一方の側にのみ設けた場合、導光板のヘーズを高くしすぎると、光源側の輝度が大きいものの、光源から離れた側の輝度は小さくなるといった輝度差が生じるようになってしまう。そこで、本発明者らはさらに検討した結果、ヘーズが１０〜４０％、好ましくは２０〜４０％の導光板の両側の面上に、ヘーズが７０％以上の光拡散性シートを接するようにして配置することにより、電飾看板とした際の全体の輝度が十分であり、光源からの距離による輝度差も殆どなく、表裏の情報の交錯を防止できる電飾看板用バックライトの完成に至った。
【００２２】
導光板のヘーズは、導光板の厚みや導光板中の光拡散剤の添加量により調整することができる。例えば、ヘーズを１０〜４０％とするには、導光板の厚みを２〜２０ｍｍとし、光拡散剤を透明樹脂１００重量部に対して０．５×１０−５〜０．１重量部含有させればよい。
【００２３】
光拡散性シートとしては、透明基材の片面又は両面に透明バインダー樹脂および光拡散剤からなる光拡散層を設けたもの、透明基材の片面又は両面をサンドブラスト処理したものなどがあげられる。
【００２４】
透明基材としては、ポリエチレンテレフタレート、ポリカーボネート、ポリプロピレン、ポリエチレン、ポリ塩化ビニル、ポリエチレンナフタレート、ポリスチレン、(メタ)アクリル酸エステル樹脂、フッ素系樹脂などからなる各種の合成樹脂フィルムなどがあげられる。透明基材の厚みは、１０〜２００μｍ程度である。光拡散層の透明バインダー樹脂、光拡散剤としては、上述した透明樹脂、光拡散剤を使用することができる。
【００２５】
光拡散性シートのヘーズを７０％以上としたのは、バックライトの輝度を全体的に均一に高くするとともに、電飾看板とした際に表裏の画像層の情報の交錯を防止するためである。なお、極端にヘーズが高いと輝度が損なわれてしまうことがあるため、ヘーズの上限は９９％以下であることが好ましい。
【００２６】
光拡散性シートのヘーズは、光拡散層の厚みや光拡散層における光拡散剤の含有量により調整することができる。ヘーズを７０％以上とするには、光拡散層の厚みを５〜５０μｍとし、光拡散層における光拡散剤の含有量を、バインダー樹脂１００重量部に対して、５０〜３００重量部とすればよい。
【００２７】
光拡散性シートは、導光板の両側の面上に接するように配置されてなる。導光板上に重ねて置いてもよいし、粘着剤により貼り合わせてもよい。
【００２８】
光源は、導光板の少なくとも一側端部に配置される。光源としては、蛍光灯、冷陰極管、ＬＥＤが使用される。光源の形状としては、線状、Ｕ字状、点状のものなどがあげられる。
【００２９】
導光板１１の光源１２が配置されない側端部は、光もれを防止するため、反射テープ１４を貼り合わせておくことが好ましい（図１、図２）。また、光源１２の周囲には、光が効率よく導光板１１に入射されるように、導光板１１側を除いて反射１３フィルムを巻きつけておくことが好ましい（図１、図２）。
【００３０】
次に、本発明の電飾看板について説明する。
【００３１】
本発明の電飾看板は、バックライトと、前記バックライトの両側の面上に配置された画像層とからなる電飾看板において、前記バックライトとして、上述した本発明のバックライトを用いてなることを特徴とするものである。以下、本発明の電飾看板の実施の形態について説明する。
【００３２】
図３は、本発明の電飾看板２の実施の形態を示す断面図である。この電飾看板２は、導光板１１、光源１２、反射フィルム１３、反射テープ１４、光拡散性シート１５からなる電飾看板用バックライト、および画像層２１、アクリル板２２、収納ボックス２３からなっている。
【００３３】
電飾看板用バックライトとしては、上述した本発明のバックライトを使用することができる。
【００３４】
画像層は、透明あるいは半透明のフィルム又はシート上に、印刷あるいは、カッティングシートを貼り付けることにより画像を形成してなるものである。また、光拡散性シート上に直接印刷したり、カッティングシートを貼り付けるなどして画像層を形成してもよい。
【００３５】
収納ボックスは光源を収納するためのものであり、光遮断性を有する各種金属などからなる。また、これら収納ボックス内には、光源、導光板、画像層、アクリル板などの他の部材を固定するため、ネジなどの固定手段を備えることが好ましい。
【００３６】
アクリル板は、画像層を保護するためのものであり、市販のアクリル板を使用することができる。
【００３７】
以上説明した電飾看板は、ネジなどの固定具を用いて天井などの設置場所に設置することができる。
【実施例】
【００３８】
以下、実施例により本発明を更に説明する。なお、「部」、「％」は特に示さない限り、重量基準とする。
【００３９】
［実施例１］
芳香族ポリカーボネート樹脂（パンライトL-1225：帝人化成社、ηSP＝０.４１）１００部に対し、アクリル樹脂粒子（ＭＢＸ−５：積水化成品工業社）を０．０２部混合した後、スクリュー径３０ｍｍのベント付一軸押出機（ＶＳＫ−３０：ナカタニ社）により、シリンダー温度２８０℃で溶融混練し、ストランドカットによりペレットを得、得られたペレットを１２０℃で５時間熱風循環式乾燥機により乾燥した後、射出成形機によりシリンダー温度２８０℃、金型温度８０℃で成形し、幅１８００ｍｍ、高さ３３０ｍｍ、厚み４ｍｍの導光板を得た。得られた導光板のヘーズは２８．９％であった。
【００４０】
次いで、導光板の幅広側の一方の側端部に、冷陰極管を配置し、さらに導光板の光入射面以外の側端部を反射テープで覆い、冷陰極管の導光板側以外の周囲を反射フィルムで覆い、実施例１の電飾看板用バックライトを得た。
【００４１】
次いで、得られた電飾看板用バックライト上に、透明フィルム上に画像を形成してなる画像層を配置し、実施例１の電飾看板を得た。
【００４２】
［実施例２］
実施例１の電飾看板用バックライトの導光板の両側の面上に、ヘーズ４６％の光拡散性シート（ライトアップTL4：きもと社）を直接重ねあわせ、実施例２の電飾看板用バックライトを得た。
【００４３】
次いで、得られた電飾看板用バックライト上に、透明フィルム上に画像を形成してなる画像層を配置し、実施例２の電飾看板を得た。
【００４４】
［実施例３］
実施例１の電飾看板用バックライトの導光板の両側の面上に、ヘーズ８８％の光拡散性シート（ライトアップMXE：きもと社、厚み１１０μｍ）を直接重ねあわせ、実施例３の電飾看板用バックライトを得た。
【００４５】
次いで、得られた電飾看板用バックライト上に、透明フィルム上に画像を形成してなる画像層を配置し、実施例３の電飾看板を得た。
【００４６】
［実施例４］
芳香族ポリカーボネート樹脂１００部に対し、アクリル樹脂粒子を０．０５部混合した以外は、実施例１と同様にして導光板を得た。得られた導光板のヘーズは４６．１％であった。
【００４７】
次いで、導光板の幅広側の一方の側端部に、冷陰極管を１灯配置し、さらに導光板の光入射面以外の側端部を反射テープで覆い、冷陰極管の導光板側以外の周囲を反射フィルムで覆い、実施例４の電飾看板用バックライトを得た。
【００４８】
次いで、得られた電飾看板用バックライト上に、透明フィルム上に画像を形成してなる画像層を配置し、実施例４の電飾看板を得た。
【００４９】
実施例１〜４で得られた電飾看板用バックライトは、いずれも導光板１枚のみで両側の面から光出射できるものであり、厚みが４ｍｍ程度と薄いものであった。また、これら電飾看板用バックライトを用いてなる実施例１〜４の電飾看板は、厚みが薄いものであった。
【００５０】
また、実施例１〜４の電飾看板について、以下の項目について評価を行った。結果を表１に示す。
【００５１】
（１）画像の隠蔽性
表裏の画像層の画像の交錯について目視で評価を行った。その結果、画像が交錯していないものを「○」、若干交錯しているものを「△」とした。
【００５２】
（２）輝度の均一性
光源に近い側と光源から離れた側の輝度の違いを目視で評価を行った。その結果、輝度差がほとんど感じられないものを「○」、輝度差が若干感じられるものを「△」とした。
【００５３】
【表１】
2006208582.tif 000003
【００５４】
表１の結果から明らかなように、実施例３の電飾看板は、ヘーズが１０〜４０％の導光板の両側の面上に、ヘーズが７０％以上の光拡散性シートを接するように配置してなる実施例３の電飾看板用バックライトを用いていることから、画像の隠蔽性および輝度の均一性の何れも満足できるものであった。
【図面の簡単な説明】
【００５５】
【図１】本発明の電飾看板用バックライトの一実施例を示す断面図
【図２】本発明の電飾看板用バックライトの他の実施例を示す断面図
【図３】本発明の電飾看板の一実施例を示す断面図
【図４】従来の電飾看板の一例を示す断面図
【図５】従来の電飾看板のほかの例を示す断面図
【符号の説明】
【００５６】
１・・・・電飾看板用バックライト
１１・・・導光板
１２・・・光源
１３・・・反射フィルム
１４・・・反射テープ
１５・・・光拡散性シート
２・・・・電飾看板
２１・・・画像層
２２・・・アクリル板
２３・・・収納ボックス
２４・・・ハウジング
【図１】
2006208582.tif 000004
【図２】
2006208582.tif 000005
【図３】
2006208582.tif 000006
【図４】
2006208582.tif 000007
【図５】
2006208582.tif 000008